(57)【要約】【課題】本発明は、衛生に厳しい一部消費者に好まれる包装材及びこれを用いた包装体を提供する。【解決手段】一方の面、他方の面、及び側面を備えた固体製品を包装する包装材１であって、固体製品の一方の面を覆う第１面部７、側面を覆う側面部８−１〜８−４、及び他方の面に配置される第２面部９−１〜９−４を有するシート本体２と、シート本体２に貼着され、シート本体２を切断するテアテープ３とを備え、テアテープ３は、側面部８−１〜８−４又は第２面部９−１〜９−４を始点とし、途中で分岐して第１の分岐部３ａと第２の分岐部３ｂが第１面部７を通るよう設けられ、第１の分岐部３ａは、第１面部７の一方の側部の端縁を通るよう設けられ、第２の分岐部３ｂは、第１面部７の他方の側部側に把持部２３が形成されるよう幅方向中間部を通り、これに続けて、同他方の側部の端縁を通って第１面部７の他端に到るよう設けられていることを特徴とする。【選択図】図１
2010132292.tif 000002
【特許請求の範囲】
【請求項１】
一方の面とこれと反対側の他方の面、及び、これら各面の周囲間を巡る側面を備えた固体製品を包装する包装材であって、
前記固体製品の前記一方の面を覆う第１面部、
前記側面を覆う側面部、及び
前記他方の面に配置される第２面部を有するシート本体と、
該シート本体に貼着され、その端部が引張されることにより該シート本体を切断するテアテープとを備え、
前記テアテープは、前記側面部又は第２面部を始点として、途中で分岐して第１の分岐部と第２の分岐部が前記第１面部を通るように設けられ、
前記第１の分岐部は、前記第１面部の一方の側部の端縁を通るように設けられ、
前記第２の分岐部は、前記第１面部の他方の側部側に一定の領域を有する把持部が形成されるように幅方向中間部を通り、
これに続けて、同他方の側部の端縁を通って該第１面部の他端に到るように設けられていることを特徴とする包装材。    
【請求項２】
請求項１に記載の包装材において、
前記第２の分岐部は、前記第１面部の幅方向中央部を通るように形成されていることを特徴とする包装材。
【請求項３】
請求項１又は２に記載の包装材において、
前記第１面部が、前記固体製品の一方の面の形状に対応して矩形に形成され、
前記テアテープの第１の分岐部が、該第１面部一端の幅方向中央部から同第１面部他端方向へ向けて進行するとともに、途中で折れ曲がって前記他方の側部の端縁に到り、
更に、同第１面部の他端に到るように設けられていることを特徴とする包装材。
【請求項４】
請求項１又は２記載の包装材において、
前記第１面部が前記固体製品の一方の面の形状に対応して扇型形状に形成され、
前記テアテープが前記第１面部の前記扇型形状の突出端部にて分岐され、
前記第１の分岐部が、前記第１面部の一方の側部の端縁を通るように設けられ、
前記第２の分岐部が、前記第１面部の中央部を通り、これに続けて前記第１面部の他方の側部の端縁を通るように形成されていることを特徴とする包装材。
【請求項５】
請求項１又は２に記載の包装材において、
前記第１面部が前記固体製品の一方の面の形状に対応して扇型形状に形成され、
前記テアテープが前記第１面部の一方の側部の端縁において第１の分岐部と第２の分岐部とに分岐され、前記第１の分岐部が一方の側部の端縁に設けられ、前記第２の分岐部がその分岐点から他方の側部の端縁、かつ、該第１面部の他端近傍に向けて設けられていることを特徴とする包装材。
【請求項６】
請求項１から５のいずれかに記載の包装材において、前記テアテープの始点の近傍及び／又は前記テアテープの第１の分岐部に近接する側部に、開封手順を示す記号が印刷されていることを特徴とする包装材。
【請求項７】
請求項１から６のいずれかに記載の包装材により固体製品を包装してなることを特徴とする包装体。
【請求項８】
請求項７に記載の包装体において、
固体製品の他方の面側に蓋シートを配置してなることを特徴とする包装体。
【発明の詳細な説明】
【技術分野】
【０００１】
本発明は、流動状態になり得る固体製品を包装する際に用いて好適な包装材及びこの包装材により固体製品を包装した包装体に関する。
【背景技術】
【０００２】
近年、小さなブロック状のチーズ等流動状態になりうる固体製品を包装する包装材として、シート材に切断テープ（テアテープ）を貼着したものが広く用いられている。この包装材は、固体製品を包装した状態において、切断テープを引張操作することによってシート材を切断し、固体製品を外部に露出させるように構成されたものである。
従来この種の包装材としては、例えば下記特許文献１〜３に示されたものが提供されている。
【特許文献１】特表２００６−５０８８６８号公報
【特許文献２】実公平１−２６６２３号公報
【特許文献３】特開昭６２−１６８８６９号公報
【発明の開示】
【発明が解決しようとする課題】
【０００３】
上記特許文献１〜３に開示された包装材は、何れも固体製品を包装した状態でシート材に設けられた切断テープを引張すると、切断テープの位置関係から固体製品の少なくとも一方の面を含む領域全体を外部に露出させる構成となっているため、固体製品を露出させた状態でこれを喫食する場合に固体製品の露出部分に指や爪が直接触れることになり、手指が汚れることを気にする一部の消費者には不評であった。
【０００４】
また、特許文献２には、直方体の固体製品の全体を切断テープ付シート材で覆い、切断テープを引張することによって固体製品の幅方向中央部を切り裂くものであるが、この包装材は、シート材から固体製品を露出させた際、シート材に指により把持できる部分が確保できる反面、固体製品の多くの領域がシート材により覆われた状態となるため、これを除去するために更にシート材を指で剥離する必要があり、この際、指や爪が固体製品に触れることになり、やはり手指が汚れることを気にする一部の消費者には不評であった。
【０００５】
本発明は上記事情に鑑みてなされたものであり、固体製品を包んだシート本体を切断した際に、固体製品の十分な外部への露出を確保し、かつ、包装材に把持部を形成して衛生上良好な剥離を可能とする包装材及びこの包装材により包装された包装体を提供することを目的とする。
【課題を解決するための手段】
【０００６】
上記目的を達成するために、この発明は以下の手段を備えて提供している。
第１の発明は、一方の面とこれと反対側の他方の面、及び、これら各面の周囲間を巡る側面を備えた固体製品を包装する包装材であって、前記固体製品の前記一方の面を覆う第１面部、前記側面を覆う側面部、及び前記他方の面に配置される第２面部を有するシート本体と、該シート本体に貼着され、その端部が引張されることにより該シート本体を切断するテアテープとを備え、前記テアテープは、前記側面部又は第２面部を始点として、途中で分岐して第１の分岐部と第２の分岐部が前記第１面部を通るように設けられ、前記第１の分岐部は、前記第１面部の一方の側部の端縁を通るように設けられ、前記第２の分岐部は、前記第１面部の他方の側部側に一定の領域を有する把持部が形成されるように幅方向中間部を通り、これに続けて、同他方の側部の端縁を通って該第１面部の他端に到るように設けられていることを特徴とする。
第２の発明は、前記第２の分岐部が、前記第１面部の幅方向中央部を通るように形成されていることを特徴とする。
第３の発明は、前記第１面部が、前記固体製品の一方の面の形状に対応して矩形に形成され、前記テアテープの第１の分岐部が、該第１面部一端の幅方向中央部から同第１面部他端方向へ向けて進行するとともに、途中で折れ曲がって前記他方の側部の端縁に到り、更に、同第１面部の他端に到るように設けられていることを特徴とする。
第４の発明は、前記第１面部が前記固体製品の一方の面の形状に対応して扇型形状に形成され、前記テアテープが前記第１面部の前記扇型形状の突出端部にて分岐され、前記第１の分岐部が、前記第１面部の一方の側部の端縁を通るように設けられ、前記第２の分岐部が、前記第１面部の中央部を通り、これに続けて前記第１面部の他方の側部の端縁を通るように形成されていることを特徴とする。
第５の発明は、前記第１面部が前記固体製品の一方の面の形状に対応して扇型形状に形成され、前記テアテープが前記第１面部の一方の側部の端縁において第１の分岐部と第２の分岐部とに分岐され、前記第１の分岐部が一方の側部の端縁に設けられ、前記第２の分岐部がその分岐点から他方の側部の端縁、かつ、該第１面部の他端近傍に向けて設けられていることを特徴とする。
第６の発明は、前記テアテープの始点の近傍及び／又は前記テアテープの第１の分岐部に近接する側部に、開封手順を示す記号が印刷されていることを特徴とする。
第７の発明は、本発明の包装材により固体製品を包装してなることを特徴とする。
第８の発明は、固体製品の他方の面側に蓋シートを配置してなることを特徴とする。
【発明の効果】
【０００７】
本発明の包装材によれば、シート材に一定の配置状態を以ってテアテープを設けたので、テアテープを引張して固体製品からシート材を剥離した場合に、固体製品からシート材を十分に剥離することができるという効果が得られる。
【０００８】
また、シート材を十分に剥離した場合であっても、把持部が残されているので、固体製品に指等が触れることがないので、手指が汚れることを気にする一部の消費者には好ましいという効果が得られる。
【発明を実施するための最良の形態】
【０００９】
以下、図を参照して本発明の実施形態について説明する。
図１から図５は、本発明の第１実施形態として示した包装材及び同包装材により固体製品Ｐを包装した包装体を示す図であり、図１は包装材の内面側から見た展開図、図２は包装材により包装体を製造する際の製造方法を示す図であり、図３から図５は包装体について包装材を剥離する場合の説明図である。
【００１０】
（第１実施形態）
図１に示すように、包装材１は、シート材２にテアテープ３を貼着してなるものである。シート材２は、アルミニウム箔の外面側に各種表示等の印刷部４が形成され、その内面側に接着剤塗工が施されたものである。なお、図１においては印刷部４は第１面部７の一部のみに形成されているように図示しているが、印刷部４は第１面部７の全面にわたって形成しても良く、また適宜の場所を選択して形成することができる。
接着剤塗工は、熱溶融性の樹脂を均一にアルミニウム箔の内面側に塗布することで、後述するように、蓋シートに対し熱により溶融して接着するために設けられたものである。  
【００１１】
テアテープ３は、ポリエチレンテレフタレートによって細幅に形成された帯状のテープであり、一方の面に上記と同様の接着塗工が施されたものであり、熱溶融化させることにより、シート材２の内面に貼着されている。
【００１２】
この実施の形態で説明する固体製品Ｐは、例えばクリームチーズ等の流動状態になりうるものであって、図３から図５に示すように、一定の厚みを有し、その正面形状が正方形とされたものであり、直方体形状に形成されたものである。すなわち、この固体製品Ｐは、一方の面Ｐ１と、他方の面Ｐ２と、これら両面の周囲間を巡る側面Ｐ３−１〜Ｐ３−４を有するものである。
【００１３】
シート材２は、図１に示すように８角形の輪郭を有するもので、前述した固体製品Ｐを包みうるように固体製品Ｐの一方の面Ｐ１を覆う第１面部７と、固体製品Ｐの側面Ｐ３−１〜Ｐ３−４を覆う側面部８−１〜８−４と、固体製品Ｐの他方の面Ｐ２側に配置される第２面部９−１〜９−４と、これら側面部８−１〜８−４と第２面部９−１〜９−４間に位置する折り畳み部１０ａ、１０ｂ〜１３ａ、１３ｂからなるものである。この際、第2面部９−４におけるテアテープ３の両側部には、切り込み３０、３１が形成されている。なお、このような切り込み３０、３１は必須ではないが、あったほうが好ましい。
上記の各部は、後述するように固体製品Ｐの各面に当接してこれを包むように折り曲げられるものであり、図に破線で示す部分が折り曲げ線となっている。
【００１４】
テアテープ３は、その一端が第２面部９−４の幅方向中央部において外方にわずかに突出して設けられ、この突出部分２０を始点として、側面部８−４、第１面部７、側面部８−２に到るように設けられている。
この場合、テアテープ３は、第２面部９−４において、第１の分岐部３ａと第２の分岐部３ｂに分岐している。
【００１５】
第１の分岐部３ａは、第２面部９−４から側面部８−４の幅方向の一方の側部の端縁に到り、同端縁から第１面部７の一方の側部の端縁部分を直線状に進行して、同第１面部７の他端に到り、更に側面部８−２の中間部に到るように設けられている。
【００１６】
第２の分岐部３ｂは、第２面部９−４の幅方向中央部から側面部８−４の中央部を通って第１面部７の一端幅方向中央部に到り、この一端から他端方向へ向けて一定寸法進行した後、第１面部７の他方の側部側に折曲し他端方向へ進行しつつ、徐々に同側部に接近して同側部の端縁に到り、同端縁上を更に進行して第１面部７の他端に達し、そして側面部８−２の中間部に到るように形成されている。なお、この形態における「幅方向」とは、テアテープを引っ張ってシート材２を切断していく方向（切断方向）を長手方向と見た場合の幅方向を意味する。
【００１７】
この構成において、第１面部７上における第２の分岐部３ｂの直線部２１と折曲部２２とにより囲まれた部分には、一定の領域を有する指で把持するための把持部２３が形成されている。
【００１８】
この実施形態においては、固体製品Ｐを包装する際に、上記の包装材１のほか、図２（ｂ）に示す蓋シート３２を用いる。
蓋シート３２は、アルミニウム箔を矩形に形成したものであり、その外面側に前述した接着剤途工が施され、その内面側に表面保護加工が施されている。
【００１９】
次に、上記の構成からなる包装材１及び蓋シート３２を用いて固体製品Ｐを包装する方法について説明する。
ここで説明する包装方法は、包装材１を所定の形状に折り曲げた状態で、その内部に例えば溶融状態にあるクリームチーズ等を充填し、その製品の熱及びシール板による熱及び圧力を利用して包装材の接着を行い、包装するのと同時に包装体を製作する方法である。
【００２０】
以下、図２を参照して詳細に説明すると、まず、図１に示す包装材１を、図２（ａ）に示すように上部が開口した箱状に折り曲げる。この場合、包装材１におけるシート材２の内面側が箱の内側となるように折曲する。
折曲は、第１面部７が底面となり、側面部８−１〜８−４、第２面部９−１〜９−４が側面となるように、折り畳み部１０ａ、１０ｂ〜１３ａ、１３ｂを折曲して図２（ａ）の形状とする。
【００２１】
次に、図２（ｂ）に示すように、その内部に溶融したクリームチーズを充填する。この際、クリームチーズが包装材１の側面部８−１〜８−４の上端に達した状態において充填を停止する。その後、クリームチーズが一定の温度に低下した状態において、矩形の蓋シート３２をクリームチーズの上面に被せる。この際接着剤途工をした側を上面とする。
【００２２】
さらに、図２（ｃ）に示すように、折り畳み部１０ａ、１０ｂ〜１３ａ、１３ｂとともに、まず第２面部９−１及び９−３をクリームチーズの上面側に折り曲げ、次いで第２部９−２を同様に折り曲げ、さらに第２面部９−４を折り曲げ、すべてを折り畳んで全体として直方体形状とする。第２面部９−１〜９−４からをクリームチーズの上面側に折り曲げ、さらに折り畳み部１０ａ、１０ｂ〜１３ａ、１３ｂを折り畳んで全体として直方体形状とする。
この際、シート材２の内面には、接着剤塗工が施されており、蓋シート３２の外面側にも接着剤途工が施されているので、これらがクリームチーズの熱及びシール板の熱及び圧力によって溶融し、温度が下降することによってシート材２と蓋シート３２とが接着される。かくして包装材１による包装が完了し、内部に固化したクリームチーズからなる固体製品Ｐを有する包装体４０が完成する。
なお、図２（ｃ）に示すように、テアテープ３の始点の近傍には、開封手順を示す記号３３（「（１）」という数字の番号）が印刷されている。また、前記テアテープ３の第１の分岐部３ａに近接する側部にも開封手順を示す記号３３（「（２）」という数字の番号）が印刷されている。これらの記号３３は、図３、図４には一部を図示しているものの他の図では図示を省略している。この理由は、記号３３はシート材２の表面、すなわちテアテープ３が貼着されている面の反対側の面に印刷されているため図示すると煩雑になるためである。このような記号３３としては数字の他には文字や絵であっても良いが、数字がシンプルであるため最も好ましい。
【００２３】
このようにして製作した包装体４０について、包装材１を剥離して固体製品Ｐを喫食する場合には、図３から図５に示すように、一方の手の指で包装体４０を把持し、他方の手の指でテアテープ３の端部部分２０を把持し、これを引張してシート材２の側面部方向へ剥離する（図３参照）。
【００２４】
この場合、シート材２の第２面部９−４には、切り込み３０、３１が形成されているので、シート材２を容易に切断することができる。
包装体４０を保持する際には、包装体４０を保持する一方の手の指が、包装材１の把持部２３部分とこれに対応する反対側の面を把持するようにする。
【００２５】
次いで、図４に示すように、更にテアテープ３を第１面部７側に引張するとともに、更に側面部８−２方向へ引張する。
このように剥離すると、第１の分岐部３ａと第２分岐部３ｂの間のシート材２が、全て固体製品Ｐから剥離されることになる。また、第１の分岐部３ａ、第２の分岐部３ｂは、側面部８−４、第１面部７に位置しているので、かかる部分も剥離されることになる。また、第２分岐部は、把持部２３を残した状態でシート材２を剥離することになる。
【００２６】
次いで、第１の分岐部３ａによって上記のようにシート材２を剥離すると、側面部８−３及び蓋シート３２を図５に示すように指によって容易に剥離することができる。
【００２７】
この状態においては、指で把持した把持部２３部分を除き、シート材２及びテアテープ３を除去することが可能となり、また除去した場合には、把持した部分以外の固体製品Ｐのほぼ全体が外部に露出することになるので、喫食を良好にすることができる。
【００２８】
この包装材１によれば、上記のように、シート材２に一定の配置状態を以ってテアテープ３を設けたので、テアテープ３を引張して固体製品Ｐからシート材を剥離した場合に、固体製品Ｐからシート材２を十分に剥離することができる。
【００２９】
また、シート材２を十分に剥離した場合であっても、把持部２３部分が残されているので、固体製品Ｐに指等が触れることがないので、手指が汚れることを気にする一部の消費者には好ましい。
【００３０】
次に、図６を参照して本発明の第２の実施形態について説明する。
（第２の実施形態）
図６において、第１実施形態と同一部分及び構成については同一の符号を付し、その説明を省略する。
【００３１】
図６は、包装材の展開図を示しており、この図に示す包装材５０は、上記の実施形態と同様に、シート材２にテアテープ３を貼着してなるものである。  
この第２の実施形態が第１の実施形態と異なる点は、被包装体となる固体製品が一定の厚みを有し、その平面視輪郭が固体製品Ｐの形状に対応して扇型形状に形成されていることである。
【００３２】
図６に示すように、シート材２の第１面部７は、固体製品の平面視形状に対応するように扇型に形成されている。
テアテープ３は、第２面部９−４の端縁から一定寸法突出させた端部部分２０を始点として、第１面部７を通り、第１の分岐部３ａと第２分岐部３ｂに分岐し側面部８−４に到るように形成されている。
【００３３】
この場合、テアテープ３の第１、第２の分岐部３ａ、３ｂの分岐点は、扇型形状の突出端部となっており、第１の分岐部３ａは、扇型形状の一方の直線部に沿って、即ち、扇型形状の一方の側部の側縁に沿って直線状に設けられ、第２の分岐部３ｂは、前記第１面部７の中央部を通り、更に折れ曲がって第１面部７の他方の側部の端縁を通るように形成されている。この場合、第２の分岐部３ｂの側部には把持部２３が形成されている。
【００３４】
この包装材１は、第１の実施形態と同様に、固体製品Ｐを包装して使用されるものである。この実施の形態においても、この包装材５０により包装された固体製品を、把持部２３とその反対側の部分を指で把持し、テアテープ３を把持して引張することによって、上記実施形態と同様の効果が得られる。
【００３５】
さらに、図７、８を参照して、本発明の第３の実施形態について説明する。
（第３の実施形態）
図７、８において、第２実施形態と同一部分及び構成については同一の符号を付し、その説明を省略する。
【００３６】
この実施の形態における包装体６０は、第１面部７が固体製品の上面形状に対応して扇型形状に形成され、テアテープ３が、端部部分２０を含む直線部３ｃが第２面９−４から側面部８−４を通り、第１面部７の一方の側部の端縁において第１の分岐部３ａと第２の分岐部３ｂとに分岐されており、第１の分岐部３ａが一方の側部の端縁に直線状に設けられ、第２の分岐部３ｂがその分岐点から他方の側部の端縁、かつ、該第１面部７の他端近傍に向けて直線状に設けられている。
【００３７】
この実施の形態においては、固体製品から包装材６０を剥離する際には、図８に示すように、把持部２３とその反対側の面を指で把持して、テアテープ３の端部部分２０を引張することにより、第２面部９−４、側面部８−４から第１面部７、更には側面部８−２に到る領域を剥離することができ、さらに把持部２３を把持した状態で、当該部分を残したほとんど全ての部分を剥離することができる。
この実施の形態においても、第２の実施の形態と同様の効果が得られるほか、テアテープ３の直線部３ｃが第２面部９−４、側面部８−４を通り、第１面部７の一方の側部の端縁において分岐されているから、このテアテープ３の位置関係から把持部２３の面積をより広く確保することができ、包装体をより把持しやすいという利点がある。
なお、図７においては、直線部３ｃが第１面部７の一方の側部の端縁において分岐されている態様を図示しているが、この分岐点は、直線部３ｃのもう少し手前側、すなわち側面部８−４において分岐する態様であってもよい。
【００３８】
なお、第２の実施形態については、以下の構成を適用することも可能である。
即ち、第２の実施形態においては、テアテープ３の形状として、第１、第２の分岐部側を略Ｖ字状とし、そのＶ字状の先端を１本の直線状の部分に形成した構成としているが、この構成に代えて、直線状のテアテープ３を２本交差させてＶ字型の形状を形成し、Ｖ字型を形成する側と反対側の２本テアテープ３部分を、固形製品を包装する際に、１本になるよう重ね合わせて、テアテープ３の端部とすることも可能である。
【００３９】
この構成では、重ね合わされた２本のテアテープ３の端部を把持することによって包装材１を剥離することとなる。
この発明は、このような包装材、包装体にも適用することができる。
なお、テアテープ３の幅は必ずしも統一されている必要はなく、それぞれのテアテープ３に必要とされる強度や、テアテープ３の製造する際の都合によって適宜幅を変化させることができる。
【図面の簡単な説明】
【００４０】
【図１】は、本発明の第１の実施形態による包装材を内面側からみた展開図である。
【図２】は、本発明の包装材により包装体を製造する際の製造方法を示す図である。
【図３】は、本発明の包装体について包装材を剥離する場合の説明図である。
【図４】は、本発明の包装体について包装材を剥離する場合の説明図である。
【図５】は、本発明の包装体について包装材を剥離する場合の説明図である。
【図６】は、本発明の第２の実施形態による包装材を内面側からみた展開図である。
【図７】は、本発明の第３の実施形態による包装材を内面側からみた展開図である。
【図８】は、本発明の第３の実施形態による包装体について包装材を剥離した場合を示す概略図である。
【符号の説明】
【００４１】
１    包装材
２    シート本体
３    テアテープ
３ａ  第１の分岐部
３ｂ  第２の分岐部
７    第１面部    
８−１〜８−４  側面部    
９−１〜９−４  第２面部  
２３  把持部
３２  蓋シート
４０、５０、６０  包装体  
【図１】
2010132292.tif 000003
【図２】
2010132292.tif 000004
【図３】
2010132292.tif 000005
【図４】
2010132292.tif 000006
【図５】
2010132292.tif 000007
【図６】
2010132292.tif 000008
【図７】
2010132292.tif 000009
【図８】
2010132292.tif 000010